(57)【特許請求の範囲】
【請求項１】
第１のカッターと、駆動方向に平行に往復駆動され得る第２のカッターとを具え、前記第１のカッターと前記第２のカッターとが押圧方向に平行に互いに付勢され合っており、前記第２のカッターを駆動するための往復駆動され得る駆動部材を具えるとともに、前記駆動部材と前記第２のカッターとの間に蝶番構造を具え、駆動力が前記駆動部材から前記蝶番構造を介し、実質的に前記二つのカッターの間の摩擦力の合力の作用点の範囲内にて前記第２のカッターへ伝達される毛髪切除装置において、
前記蝶番構造が、互いに反対向きに前記押圧方向に対し傾斜した二つの腕部材を具え、それらの腕部材が各々、前記駆動部材と前記第２のカッターとに蝶番によって連結されており、前記二つの腕部材の各々の二つの前記蝶番を通る二本の連結線が、実質的に前記二つのカッターの間の摩擦力の合力の作用点の範囲内にて互いに交差していることを特徴とする、毛髪切除装置。
【請求項２】
前記第２のカッターは、カッターホルダーを有し、前記カッターホルダーと前記二つの腕部材と前記駆動部材とは、一体的な一つのプラスチック材料製部品を形成しており、そして前記蝶番は、各々一体的な蝶番であることを特徴とする、請求項１に記載の毛髪切除装置。
【請求項３】
前記駆動部材は、往復移動可能であるのに加えて前記押圧方向に平行に移動し得るように搭載されて、少なくとも一つのスプリングにより前記第１のカッターへ向けて付勢されていることを特徴とする、請求項２に記載の毛髪切除装置。
【請求項４】
前記スプリングは、前記カッターホルダーと、固定された支持要素とに作用することを特徴とする、請求項３に記載の毛髪切除装置。
【請求項５】
前記駆動部材は、固定された支持要素に対し揺動支持構造により揺動可能とされた駆動レバーによって形成され、前記揺動支持構造は、前記押圧方向に対して実質的に直角に延在するさらなる腕部材を具え、前記さらなる腕部材は、前記固定された支持要素の一部分と前記駆動レバーとにそれぞれ一つの蝶番を介して揺動可能に連結されていることを特徴とする、請求項３もしくは請求項４に記載の毛髪切除装置。
【請求項６】
前記駆動レバーと前記さらなる腕部材と前記固定された支持要素の前記一部分とは、一体的な一つのプラスチック製部品を形成しており、そして前記二つの蝶番は、各々一体的な蝶番であることを特徴とする、請求項５に記載の毛髪切除装置。
【発明の詳細な説明】
【０００１】
【産業上の利用分野】
この発明は、第１のカッターと、駆動方向に平行に往復駆動され得る第２のカッターとを具え、前記第１のカッターと前記第２のカッターとが押圧方向に平行に互いに付勢され合っており、前記第２のカッターを駆動するための往復駆動され得る駆動部材を具えるとともに、前記駆動部材と前記第２のカッターとの間に蝶番構造を具え、駆動力が前記駆動部材から前記蝶番構造を介し、実質的に前記二つのカッターの間の摩擦力の合力の作用点の範囲内にて前記第２のカッターへ伝達される毛髪切除装置に関するものである。
【０００２】
【従来の技術】
上記最初の項で述べた種類の装置は、例えば、ドイツ国特許出願公開明細書ＤＥ２７４７３８３  Ａ１号にて知られており、この既知の装置は、顔の毛髪すなわち髭を切除するための電気かみそり装置である。この電気かみそり装置にあっては、前記第１のカッターは、アーチ状に搭載された剪断箔によって形成され、また前記第２のカッターは、アーチ形のプラスチック製部品内に植え込まれた複数枚の鋼製切刃を有する薄片形カッターによって形成され、さらに前記駆動部材は、自由端部に部分的な球形の頭部を有する一本の駆動ピンによって形成されている。そしてその頭部は、上記薄片形カッターのプラスチック製部品の下部を抉った円筒状凹部と嵌合しており、これら頭部および凹部は、上記駆動ピンから上記薄片形カッターへの駆動力の伝達のための連結構造を形成している。
【０００３】
【発明が解決しようとする課題】
ところで、上記頭部が駆動力を上記剪断箔と上記薄片形カッターとの間の摩擦力の合力の作用点に可能な限り最も近い範囲内にてその薄片形カッターに伝達することを確保するためには、上記駆動ピンが、上記剪断箔と共働する上記切刃に対し可能な限り近くで上記薄片形カッターのアーチ形プラスチック製部品に作用するために、上記駆動ピンは比較的長いものである必要があり、またその頭部も上記アーチ形プラスチック製部品の内部深くまで入り込んでいる必要がある。しかしながらこれらの要求は、毛髪切除装置の構成に望ましくない制約を加え、それらの要求を充たすことは、多くの場合、多大の困難を伴い、あるいは全くできなかったりする。
【０００４】
例えば上述の如き構成では、互いに共働する二枚の平坦な歯付きカッターを有する歯付き切除機構の、往復駆動可能な一方の歯付きカッターを、駆動力が上記二枚の歯付きカッター間の摩擦力の合力の作用点の範囲内で伝達されるように駆動することはできない。というのは、その作用点は、上記二枚の平坦な歯付きカッターの互いに共働する二つの接触面の範囲内に位置しており、上記駆動ピンの球形頭部は、それらの接触面の範囲内までは入り込めないからである。
【０００５】
それゆえこの発明は、上述した不都合を軽減して、毛髪切除装置、特に上記ドイツ国特許出願公開明細書ＤＥ２７４７３８３  Ａ１号にて知られる装置の駆動部材およびそれによって駆動されるカッターの構成に上述の如き制約を加えない毛髪切除装置を提供することを目的としている。
【０００６】
【課題を解決するための手段】
この目的ため、この発明の毛髪切除装置は、最初の項で述べた種類の装置において、前記蝶番構造が、互いに反対向きに前記押圧方向に対し傾斜した二つの腕部材を具え、それらの腕部材が各々、前記駆動部材と前記第２のカッターとに蝶番によって連結されており、前記二つの腕部材の各々の二つの前記蝶番を通る二本の連結線が、実質的に前記二つのカッターの間の摩擦力の合力の作用点の範囲内にて互いに交差していることを特徴としている。
【０００７】
かくしてこの発明の毛髪切除装置によれば、前記駆動部材と前記第２のカッターとの間の傾斜した前記腕部材の傾きを適当に選択することによって、前記二つの腕部材の各々の二つの蝶番を通る前記二本の連結線が交差する点に本質的に位置する駆動力の作用点を、前記二つのカッターの間の摩擦力の合力の作用点に、極めて正確に配置し、あるいは極めて近接させて配置することができるということが、装置の構成、特に前記駆動部材および前記駆動可能なカッターに関するいかなる制約もない比較的大きな自由度を未だもたらしつつ、極めて簡単な方法で達成される。
【０００８】
さらにこの発明の装置は、互いに接触する二枚の平坦な歯付きカッターを具える歯付き切除機構に適用した場合にも、駆動力を前記蝶番構造を介してそれら二枚の歯付きカッター間の摩擦力の合力の作用点の範囲内にて正確に伝達することができるという利点も有している。
【０００９】
なお、この発明の毛髪切除装置においては、前記第２のカッターがカッターホルダーを有している場合に、前記カッターホルダーと前記二つの腕部材と前記駆動部材とが、プラスチック材料によって一体的な一つの部品として形成されており、そして前記蝶番が各々一体的な蝶番であれば、有利である、ということが判明している。すなわちこのようにすれば、最少限の部品点数を持つ構成の観点および簡単な組立の観点で有利であり、かかる構成の小型化の可能性およびその蝶番構造がカッターホルダーと駆動部材とをいかなる遊びもなく互いに連結するという事実に関し、他の利点も存在する。
【００１０】
また、前記押圧方向と平行に互いに付勢され合う前記第１のカッターと前記第２のカッターとの充分な係合を確保するためには、前記第１のカッターが、例えばスプリング力によって前記第２のカッターへ向けて付勢されても良が、この発明の毛髪切除装置においては、前記駆動部材が、往復移動可能であるのに加えて前記押圧方向に平行に移動し得るように搭載されて、少なくとも一つのスプリングにより前記第１のカッターへ向けて付勢されていれば、有利である、ということが判明している。すなわちこのようにすれば、前記二つのカッターの充分な係合のためおよび特に簡易な構成のために有利である。
【００１１】
ここで、前記駆動部材を前記第１のカッターへ向けて付勢するスプリングは、その駆動部材に直接に作用しても良いが、この発明の毛髪切除装置においては、前記スプリングが、前記カッターホルダーと、固定された支持要素とに作用すれば、特に有利である、ということが判明している。すなわちこのようにすれば、互いに共働する二つのカッターの極めて密接かつ安定した互いの係合のために有利である。
【００１２】
また、この発明の毛髪切除装置においては、前記駆動部材が、固定された支持要素に対し揺動支持構造により揺動可能とされた駆動レバーによって形成され、前記揺動支持構造が、前記押圧方向に対して実質的に直角に延在するさらなる腕部材を具え、前記さらなる腕部材が、前記固定された支持要素の一部分と、前記駆動レバーとにそれぞれ一つの蝶番を介して揺動可能に連結されていれば、特に有利である、ということが判明している。すなわちこのようにすれば、前記駆動部材と、その駆動部材に前記二つの腕部材によって連結された駆動可能なカッターとの特に簡易な移動可能な構成のために有利である。
【００１３】
さらに、この発明の毛髪切除装置においては、前記駆動レバーと前記さらなる腕部材と前記固定された支持要素の前記一部分とが一体的な一つのプラスチック製部品を形成しており、そして前記二つの蝶番が各々一体的な蝶番であれば、特に有利である、ということが判明している。すなわちこのことは、簡単な組立のために有利である最少限の部品点数を持つ極めて簡易な構成をもたらす。またかかる構成には、遊びがないという他の利点もあり、このことは、ノイズの発生を最小限にするために有利である。
【００１４】
【実施例】
以下に、この発明の二つの実施例を図面に基づき詳細に説明する。ここに、図１は、この発明の毛髪切除装置の第１の実施例としての、短毛切除機構と長毛切除機構とを具える電気かみそり装置を示す斜視図、図２は、図１に示す装置に用いられる、二枚の歯付きカッターを持つ歯付き切除機構として構成された長毛切除機構および、その歯付き切除機構の駆動可能な歯付きカッター用の駆動機構の本発明と関連する部分を示す略線図、図３は、カッターホルダーによって支持されて図２に示す歯付き切除機構の一部分を構成している一枚の駆動可能な歯付きカッターの駆動用の駆動レバーのための変形された構成を示す構成図、図４は、この発明の毛髪切除装置の第２の実施例としての電気かみそり装置の、剪断箔と薄片形カッターとを具える短毛切除機構の長い方の側面と、その薄片形カッター用の駆動機構の本発明と関連する部分とを示す側面図、そして図５は、上記短毛切除機構を示す、図４のＶ−Ｖ線に沿う断面図である。
【００１５】
図１に示す電気かみそり装置１は、ハウジング２を有し、そのハウジング２上には、かみそり頭部３が搭載されている。このかみそり頭部３は、顔の毛髪を切除する（すなわち髭をそる）ための短毛切除機構５を搭載した、かみそり頭部フレーム４を具え、その短毛切除機構５は、アーチ状の剪断箔６と、そのアーチ状の剪断箔６の内側へ向けて弾性的に付勢される、図１では図示しない薄片形カッターとを基本的に有している。またここにおける電気かみそり装置１は、顔の、長い毛髪（すなわち伸ばしている髭）に加えて、頭髪も切除するため、歯付き切除機構７によって構成された長毛切除機構を具えており、その歯付き切除機構７は、ハウジング２の側壁部８の位置に、図１に示す休止位置と短毛切除機構５に近接する図示しない作動位置との間で当該装置１の長手方向へ移動可能なように搭載されている。そしてここにおける電気かみそり装置１はさらに、歯付き切除機構７を移動させるためのスライダー９を有している。
【００１６】
図２は、図１に示す電気かみそり装置１の上記歯付き切除機構７を模式的に示しており、この歯付き切除機構７は、切断歯１１の列を有する歯付きカッターとして構成されてその歯付き切除機構７全体の支持用の図示しない支持部材に固定搭載された第１のカッター１０を具えるとともに、これも切断歯１３の列を有する歯付きカッターとして構成された、駆動機構により矢印１４で示す駆動方向に平行に往復駆動され得る第２のカッター１２を具えている。そしてそれら第１のカッター１０と第２のカッター１２とは、さらなる矢印１５で示す押圧方向に平行に、互いに押圧され合っており、また第２のカッター１２はカッターホルダー１６に支持され、そのカッターホルダー１６は、歯付き切除機構７全体の支持用の上記支持部材上の固定された迫り台１８に支持されている押圧スプリング１７の作用を受けている。なお、第１のカッター１０の切断歯１１の列と第２のカッター１２の切断歯１３の列とは、互いに異なる歯間ピッチを有している。
【００１７】
上記第２のカッター１２を駆動するために設けられている往復駆動可能な駆動部材１９は、例えば、揺動可能な駆動レバーによって形成され、その駆動レバー１９と第２のカッター１２あるいはそれを支持するカッターホルダー１６との間には蝶番構造２０が配置されており、ここでは駆動力が駆動レバー１９から、その蝶番構造２０を介して第２のカッター１２へ、実質的に上記二枚のカッター１０，１２の間の摩擦力の合力の作用点の範囲内にて伝達されることができる。
【００１８】
ここにおける蝶番構造２０は、図２に示すように、互いに反対向きに押圧方向１５に対し傾斜した二つの腕部材２１，  ２２を具え、それらの腕部材２１，  ２２は各々、駆動部材１９と第２のカッター１２とに、蝶番２３，  ２４および蝶番２５，  ２６によって、この場合はカッターホルダー１６を介して連結されており、それら二つの腕部材２１，  ２２の各々の二つの蝶番２３，  ２５および２４，  ２６を通る二本の連結線２７，  ２８は、二枚のカッター１０，  １２の間の摩擦力の合力の作用点２９の範囲内にて互いに交差している。上記二枚のカッター１０，  １２の間の切断力の合力の作用点もまた、この摩擦力の合力の作用点２９の範囲内に位置する。そして、その平坦な構成により、駆動可能なカッター１２とカッターホルダー１６との慣性力の合力の作用点も、上記摩擦力の合力の作用点２９に極めて近接して位置する。
【００１９】
かかる構成によりここでは、駆動可能なカッター１２が駆動される際にそのカッター１２に望ましくないトルク効果が作用して、固定されたカッター１０の接触面から駆動可能なカッター１２の接触面が少なくとも部分的に持ち上げられて離間される、ということがないという効果が達成され、これにより、押圧スプリング１７の作用下で、上記二枚のカッター１０，  １２の間の充分な、しかも密接した係合が常に確保される。そして上記傾斜した腕部材２１，  ２２による蝶番構造２０の構成は、それらの傾斜した腕部材２１，  ２２の傾きを適当に選択することによって、駆動可能なカッター１２に駆動部材１９により伝達される駆動力の作用点を、上記二枚のカッター１０，  １２の間の摩擦力の合力の作用点２９の範囲内に正確に配置し得る、という利点を有している。
【００２０】
なお、ここにおけるカッターホルダー１６と二つの腕部材２１，  ２２と駆動部材１９とは、一体的な一つのプラスチック製部品を形成しており、また上記蝶番２３，  ２４，２５，  ２６も各々、一体的な蝶番とされており、このことは、当該装置１の製造の際の組立工程を簡易化する最少限の部品点数を持つ構成をもたらすとともに、遊びのない（ガタつきのない）構成をもたらす。
【００２１】
図３は、図２に示す歯付き切除機構７のカッターホルダー１６によって支持された駆動可能な歯付きカッター１２の駆動用の駆動レバー１９の構成のための実際的な変形例を示し、図２に関連して既に記述したように駆動レバー１９は、蝶番構造２０を介してカッターホルダー１６に連結されており、そのカッターホルダー１６には、往復駆動可能なカッター１２が固着されている。この駆動レバー１９は、その往復移動可能な能力とは別に、押圧方向１５に平行に移動することもでき、またこの駆動レバー１９は押圧スプリング１７により、図３では図示しない固定されたカッター１０へ向けて付勢されており、ここにおける押圧スプリング１７は、カッターホルダー１６と、固定された迫り台１８とに作用している。
【００２２】
上記揺動可能な駆動レバー１９は、固定された支持要素３０に対して揺動し得るように、揺動支持構造３１を介して支持され、その固定された支持要素３０は、前述したこの歯付き切除機構７全体の支持用の図示しない支持部材から突出した台形の支持ピン３２と、その支持ピン３２上に圧嵌された台形の支持リング３３とを具えており、その支持リング３３の、二枚のカッター１０，１２に最も近い部分が、上記押圧スプリング１７のための迫り台１８を形成している。この一方、揺動支持構造３１は、押圧方向１５に対し実質的に直角に延在するさらなる腕部材３４を具え、そのさらなる腕部材３４は、上記固定された支持要素３０の支持リング３３と、駆動レバー１９とに、蝶番３５および蝶番３６を介してそれぞれ連結されている。そしてそれら駆動レバー１９とさらなる腕部材３４と固定された支持要素３０の支持リング３３とは、一体的な一つのプラスチック製部品を形成しており、また上記二つの蝶番３５，  ３６も各々、一体的な蝶番とされている。
【００２３】
かかる構成によれば、歯付き切除機構７の二枚のカッター１０，１２の充分な共働が確保されるとともに、構造が特に簡単なものとなる。また上記揺動支持構造３１の構成によれば、駆動レバー１９が駆動される際のノイズの発生を最小限にするのに有利な、遊びを持たない駆動レバー１９の構成が確保される。
【００２４】
ここにおける駆動レバー１９は、二つの側部リブ３７，  ３８を有し、またこの駆動レバー１９の、上記二枚のカッター１０，１２から遠い方の端部３９には、それら二本の側部リブ３７，  ３８の間にて駆動ピン４０が延在しており、その駆動ピン４０は、駆動レバー１９を前後に揺動させてカッター１２を往復移動させるために、図示しない駆動機構によって駆動されることができる。さらに駆動レバー１９は、上記のように揺動駆動されるのに加えて、その駆動レバー１９の揺動中、上記押圧方向１５に平行に僅かに往復移動され、上記一体的な蝶番３５，  ３６は、駆動レバー１９の、その押圧方向１５に平行な移動能力をもたらすとともに、上記往復揺動を行う能力ももたらしている。一方、蝶番２３，  ２４，２５，  ２６はさらに、駆動レバー１９が駆動される際、固定されたカッター１０に対して駆動可能なカッター１２が傾くような位置で、その傾きを相殺し、これにより、駆動可能なカッター１２の接触面は、固定されたカッター１０の接触面に常に密に係合して、毛髪の正確な切断を保証する。
【００２５】
図４および図５は、電気かみそり装置の短毛切除機構５を示しており、当該電気かみそり装置の他の部分は図示していない。この短毛切除機構５は、アーチ状の剪断箔６と、そのアーチ状の剪断箔６によって画成される空間内に二本のスプリング４１，４２によって押し込まれる薄片形カッター４３とを具え、その薄片形カッター４３は、鋼製切刃によって形成されてプラスチック製の薄片支持部材４５内に植え込まれた多数の薄片４４を有しており、その薄片支持部材４５は、カッターホルダー１６によって支持されている。
【００２６】
上記剪断箔６は、固定された第１のカッターを形成し、また上記薄片形カッター４３は、往復駆動され得る第２のカッターを形成しており、往復駆動可能な駆動部材１９は、その薄片形カッター４３を駆動する役割を果たすとともに、例えば、既知の往復駆動され得る振動駒の駆動部材によって形成される。ここにおける駆動部材１９と薄片形カッター４３との間の蝶番構造２０もまた、互いに反対向きに押圧方向１５に対し傾斜した二つの腕部材２１，  ２２を具えており、それらの腕部材２１，  ２２も各々、駆動部材１９と薄片形カッター４３とに、蝶番２３，  ２４および蝶番２５，  ２６によって連結されている。
【００２７】
そしてそれら二つの腕部材２１，  ２２の各々の二つの蝶番２３，  ２５および２４，  ２６を通る二本の連結線２７，  ２８は、本質的に二つのカッター６，  ４３の間の摩擦力の合力の作用点２９の範囲内にて互いに交差しており、上記二つのカッター６，  ４３の間の切断力の合力の作用点および、薄片形カッター４３とカッターホルダー１６との慣性力の合力の作用点も、この摩擦力の合力の作用点２９の範囲内に位置する。なお、その剪断箔６と薄片形カッター４３の薄片４４とのアーチ形の形状により、作用点２９はアーチ状の剪断箔６の頂点から一定距離だけ離れて位置するので、摩擦力も切断力も、剪断箔６と薄片形カッター４３の薄片４４とのアーチ状の領域に広がって分布する。
【００２８】
図４および図５に示す短毛切除機構５を具える電気かみそり装置によればさらに、駆動可能な薄片形カッター４３に駆動部材１９によって駆動力が先に述べた方法で伝達されるので、薄片形カッター４３に望ましくないトルク効果が作用して、固定された剪断箔６の接触面から薄片形カッター４３の薄片４４が持ち上げられて離間される、ということがなく、それゆえ剪断箔６と薄片形カッター４３の薄片４４の間の充分な、しかも密接した係合が常に確保される、という効果が達成される。なぜならば、薄片形カッター４３に駆動部材１９によってもたらされる駆動力は、蝶番構造２０の上述した特別な構成により、上記二つのカッター６，  ４３の間の摩擦力の合力の作用点であって、それら二つのカッター６，  ４３の間の切断力の合力の作用点および、薄片形カッター４３とカッターホルダー１６との慣性力の合力の作用点でもある作用点２９の範囲内に正確に作用するからである。
【００２９】
以上、図示例に基づき説明したが、この発明は上述の二つの実施例に限定されるものでなく、例えばこの発明は、実質的に棒状のハウジングの上部に歯付き切除機構を具える、いわゆる髭用トリマーにも適用することができ、そのトリマーは、側壁部に付加的な歯付き切除機構を具えていても良い。
【図面の簡単な説明】
【図１】この発明の毛髪切除装置の第１の実施例としての、短毛切除機構と長毛切除機構とを具える電気かみそり装置を示す斜視図である。
【図２】図１に示す装置に用いられる、二枚の歯付きカッターを持つ歯付き切除機構として構成された長毛切除機構および、その歯付き切除機構の駆動可能な歯付きカッター用の駆動機構の本発明と関連する部分を示す略線図である。
【図３】カッターホルダーによって支持されて図２に示す歯付き切除機構の一部分を構成している一枚の駆動可能な歯付きカッターの駆動用の駆動レバーのための変形された構成を示す構成図である。
【図４】この発明の毛髪切除装置の第２の実施例としての電気かみそり装置の、剪断箔と薄片形カッターとを具える短毛切除機構の長い方の側面と、その薄片形カッター用の駆動機構の本発明と関連する部分とを示す側面図である。
【図５】上記短毛切除機構を示す、図４のＶ−Ｖ線に沿う断面図である。
【符号の説明】
１  電気かみそり装置
５  短毛切除機構
６  剪断箔（第１のカッター）
７  歯付き切除機構（長毛切除機構）
１０  歯付きカッター（第１のカッター）
１２  歯付きカッター（第２のカッター）
１５  押圧方向
１６  カッターホルダー
１７  押圧スプリング
１９  駆動レバー（駆動部材）
２０  蝶番構造
２１，２２  腕部材
２３，２４，２５，２６  蝶番
２７，  ２８    連結線
２９    作用点
３０    固定された支持要素
３１    揺動支持構造
３３    支持リング
３４    さらなる腕部材
３５，  ３６    蝶番
４３  薄片形カッター（第２のカッター）
【図１】
0003572106.tif 000002
【図２】
0003572106.tif 000003
【図３】
0003572106.tif 000004
【図４】
0003572106.tif 000005
【図５】
0003572106.tif 000006